(57)【要約】【課題】従来、サドル取付け前の分水栓本体の在庫保管は、内部装嵌部材を本体内に仮組みし、部材散逸防止のため本体下部の組み付け口に雌ねじを刻設し、サドルの支受け面とを接合する環状保持体の上部に雄ねじをを刻設螺合してユニット化してきたが、螺合に手間が掛り装嵌部材が劣化するという問題があった【解決手段】分水栓本体下部の組み付け口と環状保持体３上部の分水栓本体との接合部を着脱可能な嵌着構造とし、組み付け口下面嵌入部１４の、ボールシートを過度に圧縮しない部位に仮止めＯリングを係止する係止溝を設定し、環状保持体の外周に仮止めＯリング３２を設定して装嵌スペースに余裕を与えた。【選択図】図１
2009103191.tif 000002
【特許請求の範囲】
【請求項１】
上面にボールシートを敷設した弁室に、ステムを介して回動する三方口を備えたボールバルブを設定し、下部に環状保持体との接合部とフランジ部を設けた分水栓本体と、上面にボールバルブの下面を支持するボールシートを敷設し、サドル等本管取付け具の上面に形成された支受面と分水栓本体との接合部を形成して成る環状保持体とを着脱可能に嵌着したことを特徴とする分水栓ユニット
【請求項２】
分水栓本体の下面嵌入部の、ボールシートを過度に圧縮しない部位に仮止めＯリングを係止する係止溝を設定し、環状保持体の外周に仮止めＯリングを設定して分水栓本体と環状保持体とを嵌着係止するようにした請求項１記載の分水栓ユニット
【発明の詳細な説明】
【技術分野】
【０００１】
本発明は、水道配管の本管から支管に分岐して配水される際に、支管基部に配設されて支管への給水を開閉制御する分水栓について、本管取付け具の取付け前に嵌装部材を内装した分水栓本体を在庫保管する際の分水栓ユニットに関するものである。
【背景技術】
【０００２】
既設の水道本管から支管に分岐して配水する場合、本管の分岐位置にサドル等により分水栓を取付け、分水栓の取付部に穿孔具を取付けると共に分水栓内部のボールバルブを本管取付部に対して開放して穿孔具を挿入して取付部に分水口を穿孔すると共に、防食と水密保持のための密着コアを穿孔部に挿入して挿入取付け具を抜去する方法によるが、分水栓本体をサドル等の取付け具は施工環境に応じて多様であり嵩張るため、分水栓本体とサドル等の取付け具は別々に保管され、出荷時に組み合わされる。
【０００３】
従来、サドル等と別々に在庫保管される分水栓本体については、例えば、特許文献１に記載されるように、内部に設定されるボールバルブ等を本体内に仮組みし、仮組みした内部部材の散逸を防止するため本体下部の組み付け口に雌ねじを刻設し、取付け具の支受け面との接合部を構成する環状保持体の上部に刻設した雄ねじを螺合して組み付け口を封止することによって分水栓ユニットに構成して在庫保管することが行われてきた。
【特許文献１】第３７６８３２９号特許公報
【発明の開示】
【発明が解決しようとする課題】
【０００４】
しかしながら、分水栓本体とサドル等の本管取付け具との接合は、分水栓フランジ部と本管取付け具上部の支受け面とをボルト締めして行われるので、分水栓本体下部組み付け口の雌ねじと環状保持体上部の雄ねじは、在庫保存時における仮組みのためだけに刻設されるもので、ねじ厚分の材料と刻設作業に要する時間と労力は目的に比して余りにも過大なものである。
【０００５】
また、仮組みの際と仮組みを解く際に螺合のための回動作業を行わなければならないので、その時間と労力も大きく、仮組みから直接、取付け具との接合を行う前提として仮組み段階で水圧検査を行い、取付け具との接合完了後も再度水圧検査を行わなければならないという二度手間の問題もあった。
【０００６】
更に、分水栓下部の組み付け口に環状保持体をきっちりと螺合して封止してしまうと、素材として膨張率の高い四ふっ化エチレン樹脂等が用いられるボールシートが圧縮された状態で封止されるため、温度変化の激しい倉庫内では膨縮によるボールシートの品質低下が発生するという問題もある。
【課題を解決するための手段】
【０００７】
本発明は上記した問題に鑑みこれに対応しようとするものであり、分水栓本体下部の組み付け口と環状保持体上部の分水栓本体との接合部を着脱可能な嵌着構造とすることにより、従来回動螺合によって多くの労力を要していた分水栓本体と環状保持体との接合をワンタッチで行えるようにした。
【０００８】
また、本組み付け完了時における水密性保持のためのＯリングのほかに、分水栓本体下面嵌入部の、ボールシートを過度に圧縮しない部位に仮止めＯリングを係止する係止溝を設定し、環状保持体の外周に仮止めＯリングを設定して分水栓本体と環状保持体とを嵌着係止する構成とし、仮組みの段階では仮止めＯリングの係止によって品質低下し易いボールシートに圧迫が加わらないようにし、本組みのときに初めて本来の水密性保持のためのＯリングが機能する２段階方式としたものである。
【実施例】
【０００９】
以下、図面を参照して分水栓の設置から密着コアの装着を行う本発明の実施例を説明する。１は分水栓本体で、中央部に弁室１１、その一側に分水のための通水路１２、上方に本管の分水栓取付部を穿孔する際に穿孔具を挿入する穿孔具挿入口１３が開口し、他の一側に弁室１１に設定されるボールバルブ２を回動操作するステム機構２３が設定されている。
【００１０】
弁室１１の上面にはボールシート２１、下面にはボールシート２２が敷設され、ステム２３を介して回動する三方口を備えたボールバルブ２が収容されて回動によって通水路閉鎖、穿孔具挿入口１３の開口、通水路開口の切替えが行われるようになっており、分水栓本体１の下部は環状保持体３と接合する下面嵌入部１４となっている。
【００１１】
分水栓本体の下面嵌入部１４には、環状保持体３の接合部３１との嵌入度においてボールシート２１、２２を過度に圧縮しない部位に仮止めＯリング３２を係止する係止溝３２ａが設定され、環状保持体３の外周に設定される仮止めＯリング３２を嵌着係止するようになっている。
【００１２】
仮止めＯリング３２の設定部位上部には、本管取付けのためのサドル４との本組み付け完了時における水密性保持のためのＯリング３３が設定され、本発明による仮組みユニットの段階では、仮止めＯリング３２により分水栓本体１と環状保持体３を係止し、余裕のある状態で本体１内の内装部材を組み付けて在庫保存するようにした。
【００１３】
分水栓本体１の下側部には本管取付けのためのサドル４の支受け面４１に重合してボルト４２で固定するフランジ部１５が設けられており、出荷時等本組み付けの際にボルト４２、４２・・によるボルト締めが行われると、仮止めＯリング３２を圧締してＯリング３３との共働により分水栓本体と環状保持体間の水密性が完全に保持される。
【００１４】
分水栓ユニットの組み付けは、本体弁室１１の上面にボールシート２１を敷設し、ステム２３の先端嵌合部２４をボールバルブ２の挿嵌部に挿嵌してボールバルブ２を弁室１１内に収嵌する。一方、環状保持体３にＯリング３２、３３と必要な場合にはブッシュ３４等を装嵌して上面にボールシート２２敷設して接合部３１を分水栓本体１の下面嵌入部１４に嵌入して係止溝３２ａに仮止めＯリング３２を係止する。
【００１５】
以上により図２に示す状態で分水栓ユニットは完成し、長期に渡って倉庫内に在庫保存しても、膨張率の高いボールシート等の内装部材について品質低下を防止することができ、施工業者への引渡し時等本組み付けの際には、そのままの状態でサドル４との本組み付けをして水圧検査を行えば製品として完成し、水圧検査の重複を避けることができる。
【００１６】
ユニットとサドル４との本組み付けは、図３に示すようにサドル４の支受け面４１上にアングル状の樹脂ワッシャー４３を敷設し、サドル下方からガスケット４４を挿入設定してフランジ部１５を支受け面４１に重合してボルト４２、４２・・によるボルト締め行って一体化する。
【００１７】
更に、これを本管分岐部に取付け分水穿孔をしてコア部材の挿入取付け等の一連の作業により支管への分水と分水栓の設定が行われるものである。
【００１８】
本発明は以上のように構成したので、分水栓本体１の内部に組み付けた部材の散逸を防ぎ、サドル４との本組み付けまでコンパクトなユニットとして分水栓本体を保持する環状保持体３の着脱を、面倒な螺合回動によることなくワンタッチで行うことができ、更に、仮止めＯリング３２によるスペースの余裕により膨縮や温度変化による素材の劣化を抑止して長期の在庫保存に対応することができたものである。
【図面の簡単な説明】
【００１９】
【図１】本発明による分水栓ユニットの実施例を示すもので、分水栓本体            と環状保持体の着脱関係を示す分水栓本体と環状保持体の分解縦断側面図
【図２】同じく、分水栓本体に環状保持体を着合した状態を示す縦断側面            図
【図３】同じく、本管取付けサドルと本組み付けを行った状態を示す分水            栓本体と環状保持体及びサドル上端部接合部分の縦断側面図
【図４】同じく、本管取付けサドルと本組み付けを行った状態を示す外観            の全体平面図
【符号の説明】
【００２０】
１  分水栓本体
１１  ボールバルブ弁室
１２  支管への分水通水路
１３  穿孔具挿入口
１４  分水栓の下面嵌入部
１５  サドル締着フランジ部
２  ボールバルブ
２１  上面ボールシート
２２  下面ボールシート
２３  ボールバルブの回動操作ステム機構
２４  ボールバルブの回動操作ステムの先端嵌合部
３  環状保持体
３１  環状保持体の嵌入接合部
３２  仮止めＯリング
３２ａ  仮止めＯリング係止溝
３３  水密性保持Ｏリング
３４  環状保持体装嵌ブッシュ
４  本管取付けサドル
４１  サドルの分水栓支受け面
４２  分水栓本体締着ボルト
４３  アングル状の樹脂ワッシャー
４４  ガスケット
【図１】
2009103191.tif 000003
【図２】
2009103191.tif 000004
【図３】
2009103191.tif 000005
【図４】
2009103191.tif 000006